(57)【特許請求の範囲】
【請求項１】
背板とこの背板の左右両縁部および上部縁にそれぞれ正面方向へ少量突き出る板部を形成して機械的強度を満足させた背壁と、同背壁の下端部に取付けられたアンカー用プレートとを有してなり、該アンカー用プレートを下にし背板を背にして自立可能な架台と、
前記背板に同背板から該背板の縁部に在る板部の張出し長さ以上に正面方向に突き出るように取り付けられた複数の支え部材と、
前記複数の支え部材に載せられて前記架台に組み付けられた給水ポンプ機器と
を具備したことを特徴とする給水装置。
【請求項２】
前記給水ポンプ機器は、並行に配置された複数台の電動駆動式の縦型ポンプ、これら各ポンプの吸込口に接続された左右方向に延びる吸込側合流管、各ポンプの吐出口に接続された左右方向に延びる吐出側合流管を有したポンプユニットから構成され、
前記吸込側合流管および前記吐出側合流管にはそれぞれ支持ベースが形成され、これら支持ベースが前記支え部材に載せられて、前記ポンプユニットが前記架台に組み付けられることを特徴とする請求項１に記載の給水装置。
【請求項３】
前記支持ベースと前記支え部材との間には弾性部材が介装され、かつ前記支え部材の近傍の背壁内面には制振部材が設けられることを特徴とする請求項２に記載の給水装置。
【請求項４】
前記背板には、転倒防止用の金具が取り付けられていることを特徴とする請求項１に記載の給水装置。
【請求項５】
前記給水ポンプ機器は、吸込側に逆流防止装置を組み付けた配管を有して構成され、
前記逆流防止装置を含む配管が弾性部材を介し前記支え部材に載せられることを特徴とする請求項１に記載の給水装置。
【請求項６】
前記架台は、内のり寸法を前記架台の外形より大きくした箱状のポンプカバーが正面方向から給水ポンプ機器を覆うように被され、かつ該ポンプカバーの上部が、給水装置全体を吊下げるためのアイボルトで前記背板の上部に在る板部に締結してあることを特徴とする請求項１に記載の給水装置。
【請求項７】
前記背板の下部は、左右両側の板部から正面方向に突き出て前記ポンプカバー下部の内面と重なりながら曲がるコ字状のスカート板を有し、このスカート板には外部と前記給水ポンプ機器との間を取り合うための貫通孔が形成されていることを特徴とする請求項６に記載の給水装置。
【請求項８】
前記給水ポンプ機器は、上方から吸い込み下方へ吹き出す冷却ファンが内蔵された全閉モーターを上部に配置した電動駆動式の縦型ポンプを有して構成され、
この縦型ポンプが、冷却ファンの吸込口が上部に配置され縦型ポンプにつながる配管が下側に配置されるよう、前記支え部材で架台上部に組み付けられ、
さらに前記縦型ポンプと向き合う前記ポンプカバーの正面壁が、上方に向うにしたがって前記縦型ポンプとの間が狭まるように傾斜していることを特徴とする請求項６に記載の給水装置。
【請求項９】
前記傾斜した正面壁の内面には、吸音材が設けられることを特徴とする請求項８に記載の給水装置。
【請求項１０】
前記給水ポンプ機器は、吸込側に逆流防止装置が組み付いた配管を有して構成され、
前記ポンプカバーは前記逆流防止装置の漏水点検用の窓を有していることを特徴とする請求項６に記載の給水装置。
【請求項１１】
前記給水ポンプ機器は、吸込側に逆流防止装置を有し前記背板の下部に前記支え部材で組み付けられた配管と、前記逆流防止装置の一次側に組み付けた圧力検出器と、この圧力検出器の近傍に組み付けた凍結防止用のヒーターとを有してなり、
前記ポンプカバーは、前記逆流防止装置を囲む内面部分に、断熱性を有した吸音材を取り付けられていることを特徴とする請求項６に記載の給水装置。
【発明の詳細な説明】
【０００１】
【発明の属する技術分野】
本発明は、例えば家庭に給水を行う給水装置に関する。
【０００２】
【従来の技術】
アパート、マンションなどの給水システムは、屋外あるいは屋内に設置した給水装置で、各家庭に給水することが行われている。
【０００３】
こうした給水装置では、据え付け場所の制約を受けないよう、できるだけ占有床面積を小さくした装置が望まれる。
【０００４】
そこで、小占有床面積を重要視した給水装置は、奥行き寸法を狭く、高さ寸法を高くし、正面側を開口させたボックス構造のケースを用いて、このケース内の内面に給水に必要な給水ポンプ機器、例えば複数台のポンプ、吸込側合流管、吐出側合流管、アキュームレーターなどを組み付ける構造が採用ようになった。
【０００５】
【発明が解決しようとする課題】
ところが、この構造だと、確かに給水装置が占有する床面積は小さくできるが、周囲が壁で囲まれた狭いボックス構造のケースの中で、各機器、部品の組み付けを行うことが強いられる。特にケースは給水ポンプ機器を収めるだけの小さい外形のケースが用いられるので、機器,部品とケースの壁との間の隙間は小さく、かなり各機器、部品の組み付け作業は面倒であった。
【０００６】
本発明は上記事情に着目してなされたもので、その目的とするところは、小占有床面積と給水ポンプ機器の組付作業性の容易化との双方を満足する給水装置を提供することにある。
【０００７】
【課題を解決するための手段】
上記目的を達成するために請求項１に記載した給水装置は、背板とこの背板の左右両縁部および上部縁にそれぞれ正面方向へ少量突き出る板部を形成して機械的強度を満足させた背壁と、同背壁の下端部に取付けられたアンカー用プレートとを有してなり、該アンカー用プレートを下にし背板を背にして自立可能な架台に、背板から該背板の縁部に在る板部の張出し長さ以上に正面方向に突き出るように取り付けられた複数の支え部材を組み合せ、これら支え部材に給水ポンプ機器を載せる構造とした。
【０００８】
この給水装置だと、支え部材は、背板の両側の板部よりも正面方向へ突き出ているので、ポンプ、各種配管などの給水ポンプ機器を支え部材に組み付けるときは、板部が無い支え部材の周囲の広い開放空間を作業空間として用いて組み付け作業を進めることができ、給水ポンプ機器を組み付ける作業は容易となる。しかも、給水ポンプ機器は、縦置きの背板に設置されるので、従来のボックス構造と同様、必要な占有床面積は小さくてすむ。そのうえ、架台は、左右側および上部が前方に若干、張り出た背壁を用い、これをアンカー用プレートで自立させる構造なので、構造は簡単であり、重量も軽く、製造コストも安価ですむ。
【０００９】
請求項２に記載の給水装置は、さらに上記目的に加え、少ない支持個所で、縦型ポンプを吸込側配管および吐出側配管を合理的に背板に支持させるよう、並行に配置された複数台の電動駆動式の縦型ポンプ、これら各ポンプの吸込口に接続された左右方向に延びる吸込側合流管、各ポンプの吐出口に接続された左右方向に延びる吐出側合流管を有したポンプユニットから給水ポンプ機器を構成し、吸込側合流管および吐出側合流管に支持ベースを形成し、これら支持ベースを支え部材に載せて、ポンプユニットを架台に組み付ける構造を採用した。
【００１０】
これにより、重量のあるポンプを含むポンプユニット全体は、奥行き方向に配置される吸込側合流管と吐出側合流管との間隔を支持スパンとして活用して、安定して受け止められるので、少ない支持個所でポンプユニットの組み付けが行われる。
【００１１】
請求項３に記載の給水装置は、上記目的に加え、縦型ポンプが発する振動で架台が振動するのを防ぐために、支持ベースと支え部材との間に弾性部材を介装し、かつ支え部材の近傍の背壁内面に制振部材を設ける構造を採用した。
【００１２】
これにより、吸込側合流管、吐出側合流管から背板へ伝わろうとする縦型ポンプからの振動は、支持ベースと支え部材との間の弾性部材で吸収される。そして、それでも支え部材から背板へ伝わる振動が、同支え部材の近傍に在る制振部材で抑制されるので、効果的な振動防止が行える。
【００１３】
請求項４に記載の給水装置は、現地で据え付けた給水装置が無用に転倒するようなことがないよう、背板に転倒防止用の金具を取り付けた。
【００１４】
これにより、給水装置の設置時、背板に沿う建物の壁面などに、転倒防止用金具を締結することにより、地震で地面が揺れることがあっても、給水装置の転倒は防止される。
【００１５】
請求項５に記載の給水装置は、直結給水式の給水装置を構成する逆流防止装置から架台へ伝わる振動を防ぐために、吸込側に逆流防止装置が組み付く直結給水式では、逆流防止装置を含む配管を、背板から突き出る支え部材に弾性部材を介して載せた。
【００１６】
これにより、逆流防止装置から架台へ伝わろうとする振動は、弾性部材で吸収され、架台が振動するのが防止される。
【００１７】
請求項６に記載の給水装置は、雨、風の影響に耐える構造で、低騒音の屋外仕様の給水装置が実現されるよう、内のり寸法を架台の外形より大きくした箱状のポンプカバーを正面方向から架台に被せ、同ポンプカバーの上部を、給水装置全体を吊り下げるためのアイボルトで背板の上部に在る板部に締結した。
【００１８】
これにより、架台に取り付いた給水ポンプ機器は、周囲がポンプカバーで覆われて遮蔽されるから、給水ポンプ機器が雨、風にさらされるのを防げる。と同時に給水ポンプ機器の騒音が外部へ出るのが遮られ、屋外の設置に適した給水装置となる。しかも、ポンプカバーは、装置吊り下げ用のアイボルトで架台に固定してあるので、別途、ポンプカバーを取り付けるためのねじ類は不要である。そのうえ、ポンプカバーは、架台の正面方向から外したり取り付けたりする構造なので、たとえ給水装置の幅方向両側に障害物があっても、容易にポンプカバーの脱着作業が行える。
【００１９】
請求項７に記載の給水装置は、配管施工した後でも、給水ポンプ機器の取り外し、取り付け作業を伴うメンテナンスが容易に行えるよう、背板の下部に、左右両側の板部から正面方向に突き出てポンプカバー下部の内面と重なりながら曲がるコ字状のスカート板を形成し、このスカート板に給水ポンプ機器との取り合いを行うための貫通孔を形成した。
【００２０】
これにより、給水装置の据え付けを終えて、スカート部の貫通孔に配管を施した後からでも、給水ポンプ機器のメンテナンスを行うときは、給水ポンプ機器と取り合う配管はそのまま変えずに、ポンプカバーを取り去るだけで、容易に架台に組み付けた機器の取り外しや取り付けが行える。
【００２１】
請求項８に記載の給水装置は、熱の滞留なくポンプカバー内の各部がモーターの冷却ファンで効果的に冷却されるよう、上方から吸い込み下方へ吹き出す冷却ファンが内蔵された全閉モーターを上部に配置した電動駆動式の縦型ポンプを給水ポンプ機器とし、かつ冷却ファンの吸込口を上部に配置し、縦型ポンプにつながる配管を下側に配置して支え部材で架台上部に縦型ポンプを設置し、さらに縦型ポンプと向き合うポンプカバーの正面壁を、上方に向うにしたがって縦型ポンプとの間が狭まるように傾斜させた。
【００２２】
これにより、全閉モーターを冷却した冷却ファンからの排気流（熱風）は、ポンプカバーの傾斜部がもたらす抑えにより、ファンの吸込口へショートサーキットする流れが形成されずに、下側の配管に導かれて冷却されてから、ポンプカバー内の各部に導かれて熱交換した後、再びポンプカバー内の各部に導かれ熱交換（温度上昇）しながら上昇して、再び全閉モーターの冷却ファンで吸込ませるようになり、ポンプカバー内の上部に熱が滞留することなく、ポンプカバー内の各部が十分に冷却されるようになる。
【００２３】
請求項９に記載の給水装置は、全閉モーターからの騒音を効果的に低減するために、傾斜した正面壁の内面に吸音材を設ける構造を採用して、全閉モーターに対して接近する傾斜面を活用して、全閉モーターから発する騒音を効果的に吸収するようにした。
【００２４】
請求項１０に記載の給水装置は、直結給水式を構成する逆流防止装置の漏水状態が外部から確認できるよう、吸込側に逆流防止装置が組み付いた直結給水式を採用した構造は、ポンプカバーに逆流防止装置の漏水点検用の窓を形成して、ポンプカバーを開けずに、窓を通して、逆流防止装置の状態がわかるようにした。
【００２５】
請求項１１に記載の給水装置は、ポンプカバー内の最も凍結しやすい個所を効果的に保温するために、支え部材で背板の下部に組み付く逆流防止装置の一次側にある圧力検出器の近傍に、凍結防止用のヒーターを組み付け、同逆流防止装置を囲むポンプカバーの内面部分に、断熱性を有した吸音材を取り付けた。
【００２６】
これにより、内部雰囲気が最も冷たくなる給水装置の下部に配置される逆流防止装置をヒーターで保温しながら、同ヒーターにより、接水部が細く凍結しやすくなっている逆流防止装置の一次側の圧力検出器が重点に保温されるようになり、防音しつつ最も凍結しやすい給水ポンプ機器の個所が効果的にヒーターで保温されるようになる。
【００２７】
【発明の実施の形態】
以下、本発明を図１ないし図７に示す一実施形態にもとづいて説明する。
【００２８】
図１は、本発明を適用した給水装置の正面図、図２は同給水装置の正断面図、図３（ａ），（ｂ）ないし図５は図１中のそれぞれ矢視Ａ〜Ｄから見た側断面図、図６は給水ポンプ合流配管系を示す正面図、図７は給水装置の各部の構造を示す図を示していて、図中１は自立可能に構成された架台である。
【００２９】
この架台１は、図７に示されるように四角形の背壁２、コ字状に形成されたスカート板７、左右一対のアンカー用プレート１５を組合わせて形成してある。
【００３０】
詳しくは、背壁２は、上下方向に垂直に延びる角形の背板３と、この背板３の上部縁全体に形成された内向きの天板４（板部に相当）と、この天板４と連続する背板３の左右縁全体に形成された内向きの側板５（板部に相当）とを有して形成してある。これら三方縁にある天板４および側板５は、いずれも正面方向へ少量、例えば４０ｍｍ程度、突き出ていて、これら内向きに突き出る天板４および側板５がもたらす剛性により、プレートで形成される背壁３で、べこつきといった支障の無い、ポンプ搭載に対して十分に満足する機械的強度を確保している。また左右両方の側板５の下部分からは、コ字形に折り曲げた帯形のプレートが正面方向に突き出ていて、背壁３の下部にコ字状のスカート板７を形成している。このスカート板７のうち一方の壁、例えば左壁には、奥行き側から順に、横方向から外部と配管取り合いをなすための吸込配管用の貫通孔９、ドレン孔１０、ケーブル孔１１が形成されている。スカート板７の右壁には、正面（手前）側から順に、横方向から外部と配管取り合いをなすための吐出配管用の貫通孔１２、ドレン孔１３が形成されている。またスカート板７の各左右側の下端から側板５の各下端に渡り、それぞれ帯板が取着されていて、架台１の下部に左右一対のアンカー用プレート１５を形成している。これにより、架台アンカー用プレート１５を下にし背板３を背にして自立する、奥行き寸法は狭く、高さ寸法の高い架台１を構成してある。なお、各アンカー用プレート１５の板面にはアンカーボルト挿入孔１５ａ（図７のみに図示）が形成してある。
【００３１】
この架台１を形成する背板３の内面に、給水ポンプ機器２０、同給水ポンプ機器２０を制御する制御盤２１が組み付けてある。すなわち、背板３の左側上段には、内部にインバータなど各種制御機器を内蔵した角箱形の制御盤２１が，ブラケット２１ａを介して組み付けられている。この制御盤２１の下側には、給水ポンプ機器２０であるところのアキュームレーター２２が組み付けられている。また背板３の右側には、制御盤２１およびアキュームレーター２２と隣接して、給水ポンプ機器２０であるところの縦型のポンプユニット２３が組み付けられている。
【００３２】
詳しくは、ポンプユニット２３は、上部にモーター、例えばローターに永久磁石を用いたブラシレスＤＣモーター２４（以下、単にＤＣモーター２４という）を有し、下部に同ＤＣモーター２４に直結されたポンプ部、例えば多段タービンポンプ部２５（以下、単にポンプ部という）を有して構成される縦型の多段タービンポンプ２６を、複数台、例えば２台左右方向に並行に配置し、これに吸込側合流管２７、吐出側合流管２８を組合わせて構成してある。詳しくは、ＤＣモーター２４には、全閉モーターが用いられる。同全閉モーターの上部には、冷却ファンとして、上方に在る吸込口２９ａから吸い込み、下方へ向く吹出口２９ｂからモーター本体の外周面に沿って吹き出すタイプの冷却ファン２９（図２のみに図示）が内蔵してある。多段タービンポンプ２６は、下部に在る下向きに開口するポンプ吸込口３０をもつ吸込ケーシング３１と、上部に在る正面方向に開口するポンプ吐出口３２をもつ吐出ケーシング３３（いずれも図３、図４に図示）との間に、インペラ３４を収めた複数の中間ケーシング３５を締結し、各インペラ３４とＤＣモータ２４から延びるモーター軸２４ａとを連結した構造が用いてある。これら多段タービンポンプ２６の各ポンプ吸込口３０には、メンテナンス用の開閉弁、例えばボール弁３６、左右方向に延びる吸込側合流管２７が順に着脱可能に結合、例えばフランジ接続で結合してある。吸込側合流管２７は、左側端がプラグ３７で閉止され、右側端が逆Ｌ字形を描くように曲がって下方向へ延びている。なお、吸込側合流管２７の横方向に延びる管部分２７ａには両側に凍結防止用のヒーター３８が組み付けてある。多段タービンポンプ２６の各ポンプ吐出口３２には、同吐出口３２から下方（垂直方向）へ延びるＬ形の連結管４０が連結してある（図６に図示）。この連結管４０の上端に一体に形成されているエルボ部４０ａ（ほぼ９０°曲がる部分）に、スイング式のチェッキ弁４０ｂを内蔵させてある。この連結管４０の下端は、ポンプ吸込口３０の位置より、下側となる地点まで延びている。このポンプ吸込口３０から下方にずれた連結管４０の端部に、吸込側と同じく、メンテナンス用の開閉弁、例えばボール弁４１と逆Ｌ字形を描くように曲がる吐出側合流管２８がフランジ接続で連結してある。この吐出側合流管２８の横方向に延びる管部分２８ａの左端には、吐出圧力を検出する圧力検出器１７が組み付けてある。また吐出側合流管２８の下方へ延びる管部分２８ｂは、吸込側合流管２７の下方へ延びる管部分２７ｂと向き合うように（ほぼ平行）に配置される。そして、これら管部分２７ｂ，２８ｂの途中が、高配水時（吸込側の圧力が目標圧力より高くとき）に吐出側へバイパスさせるバイパス部４３を介して連結してある（図４に図示）。バイパス部４３は、管部分２７ｂと管部分２８ｂとの両者間を連通するバイパス管４４と、このバイパス管４４内に収めた、吐出側合流管２８側へ向う方向のみ開く機能をもつバイパス用チェック弁４５とを有して構成してある。そして、このバイパス用チェック弁４５からポンプ吸込側へ向う吸込側合流管２７の垂直な管部分２７ｂには、少水量停止用の流量検出器（目標水量より水量が少なくなるにしたがいポンプ停止させ���ためのもの）、例えばパドル式の流量検出器４６が組み込んである。なお、吐出側合流管２８の横方向に延びる管部分２８ａにも凍結防止用のヒーター４７が組み付けてある。
【００３３】
このポンプユニット２３のうち、吸込側合流管２７の管部分２７ａ（水平方向に延びる部分）の両端側には、図５にも示されるように管部分２７を挟んで側方に互い違いに張り出す矩形状の２つ支持ベース４８が形成してある。また管部分２７ａから下側にずれて配置されている吐出側合流管２８の管部分２８ａの端部（圧力検出器１７側）には、管部分２７ａ側へ張り出す矩形状の支持ベース４９（１個）が形成してある。
【００３４】
これに対して背板３の右側中段には、図７にも示されるようにポンプユニット据付け用の支え部材５０が取り付けてある。支え部材５０は、例えばコ字形に折り曲げた板金で形成されるサポート部材５１の一方の端部を背板３の内面に固定して、板金の両端壁５２を上下二段に配置し、両端壁５２の他方の端部を背板３の内面から突き出させた構造が用いられている。詳しくは、上下二段となる端壁５２は、上側が三角形状をなし、下側が帯形状をなしていて、いずれも架台１の天板４，側壁５の張出し長さ以上の寸法で正面方向に突き出ている。このうち上段の端壁５２の先端側と基部側とには、各支持ベース４８の位置と対応して、例えばゴム部材とばね部材とを組合わせてなる偏平矩形状の弾性部材５３が取着されている。また下段の端壁５２の先端側には、支持ベース４９の位置と対応して、同様の偏平矩形状の弾性部材５４が取着されている。
【００３５】
ポンプユニット２３は、弾性部材５３で形成される各据付座に、各支持ベース４８を載せ、弾性部材５４で形成される据付座に、支持ベース４９を載せることによって、吸込側合流管２７と吐出側合流管２８の両間隔を支持スパンとして、支え部材５０に安定した姿勢で載置させてある。そして、図３に示されるように正面方向に突き出る吸込側合流管２７の支持ベース４８（１個のベースだけ）を、締結具、ボルト５０ａで支え部材５０に固定することによって、重量のあるポンプユニット２３の全体を、冷却ファン２９の吸込口２９ａが架台１の最も上部に配置され、多段タービンポンプ部２５につながる吸込側／吐出側の配管が下側に配置される姿勢で、安定して架台１に組み付けてある。
【００３６】
なお、ポンプユニット２３は、頭部側が弾性部材５３，５４の弾性で振れないよう、同ユニット２３の高い位置で補助的に支えてある。例えば図２、図６および図７に示されるように吐出ケーシング３３から突き出たブラケット５５を、背板３の内面に弾性変位可能に取り付けた支持具、例えばゴム部材などの弾性部材５６により弾性支持された支持ボルト５７で、ポンプ荷重が作用しないよう横方向から支えることによって、ポンプユニット２３が振れないように規制させてある。
【００３７】
また支え部材５０の近傍となる背板３の内面には、制振部材、例えば粘性の高いプレート状の制振材５８が取着されていて、背板３が支え部材５０から伝わるタービンポンプ２６の振動で振れない構造にしている（図７に図示）。但し、３ａは、背板３の内面に、支え部材５０の近傍を通過するよう、幅方向に連続して設けられた補強材である（図７に図示）。
【００３８】
アキュムレーター２２も、ポンプユニット２３と同様、背板３の内面から、側板５の張出し長さ以上、正面方向に突き出る支え部材５９（例えばチャンネル部材よりなる）の先端部に、アキュームレーター２２の下部に形成した支持ベース２２ａを締結、例えばボルトで締結することによって、架台１に組み付けてある。そして、このアキュームレーター２２の出入口２２ｂが、メンテナンス用の開閉弁、例えばボール弁６０、フレキシブル管６１を介して、チェック弁４５より下流となる吐出側合流管２８の地点に接続してある。
【００３９】
一方、図２〜図４に示されるように背板３、側板４およびスカート板７で囲まれる角形の開口１ａには、同開口を塞ぐようにドレン受け用のトレイ６５が設けてある。トレイ６５は、例えばＶ字状に折れ曲がったプレートを、背板３と側板５とスカート板７とがなす角形の枠内に収めて、地上から離れた高さの地点において開口１ａを塞ぎ、同プレートの周縁部を背板３、側板５およびスカート板７の内面に水密となるよう接合してなる。むろん、プレートは、外部との取り合い損わないよう貫通孔９，１２およびケーブル孔１１よりも下方の地点に組み付けてある。このトレイ６５で、ポンプユニット２３や配管などから滴下する結露水などのドレンを受けて、Ｖ字形の傾斜面が交わる最下部に溜まるようにしている。これで、屋内でも給水装置が使用できる構造にしてある。なお、トレイ６５の板面には、上下方向から外部と配管取り合いをなすための吸込配管用と吐出配管用の貫通孔６６が形成してある。但し、貫通孔６６は、使用しないときはキャップ６７で塞いである。
【００４０】
また集溜部を形成するトレイ６１の最下部の両側下部には、同最下部からスカート板７の左右ドレン孔１０（トレイ６１の最下部より下側にある）へドレン水を導く継手、例えばエルボ管６８が取り付けてある。外部（スカート板７の外面）に臨むエルボ管６８の端部は、通常はキャップ（図示しない）で塞がれていて、同キャップを取り外し、代わりに排水管（図示しない）を接続すれば、所望の場所にトレイ６５に溜まるドレン水を排水できるようにもしてある。なお、ドレン水を排水する個所は、複数個所でなく、１個所でもよい。
【００４１】
また背板３の下段には、左右方向に延びるよう、逆流防止装置７０（中間室７０ａと同中間室７０ａを挟んで配置される一対のチャッキ弁７０ｂを組合わせたもの）を組み付けた吸込配管７１が、ポンプユニット２３のときと同様の手法で組み付けてある。なお、７０ｃは逆流防止装置７０の漏水口（逆流した水を排水させる出口）を示す。
【００４２】
すなわち、吸込配管７１は、左側から順に、下向きエルボ管７２（入側）、メンテナンス用の開閉弁７３、ストレーナー７４、逆流防止装置７０、上向きエルボ管７５（出側）を連結して構成される。そして、逆流防止装置７０の一次側となるエルボ管７２のコーナー部には、吸込圧力（水道本管の圧力）を検出する圧力検出器７２ａが組み付けてある。また吸込配管７１の側部には、左右両側に脚部７６を有するプレート７７が添設してある。但し、脚部７６は、吸込配管７１の側部から同吸込配管７１の下側へ張り出すＬ字状のプレート部分で形成してある。
【００４３】
背板３の下段の左右両側には、側板５の張出し長さ以上、正面方向に突き出る支え部材７８がそれぞれ取り付けられている。支え部材７８は、いずれも一端が背板３の内面に固定され他端がトレイ６５の上面に固定されたＬ帯形のプレートと、この各プレートの先端部上面に取付けた偏平矩形状の弾性部材７９（例えばゴム部材とばね部材とを組合わせて形成されるもの）が取着されている。
【００４４】
逆流防止装置７０を含む吸込配管７１は、図２〜図４に示されるようにこの弾性部材７９で形成される各据付座に、脚部７６を載せ、これを、締結具、例えばボルトで支え部材７８に締結することによって、背板３に組み付けてある。
【００４５】
この吸込配管７１のエルボ管７５（上向き）端は、メンテナンス用の開閉弁、例えばボール弁８０を介して、吸込側合流管２７の入口端と接続、例えばフランジ接続で着脱可能に接続されている。これで、水道本管（図示しない）に直結して使用する直結給水式増圧給水装置を構成している。なお、直結給水式でない給水装置は、吸込配管７１を取り外せばよい。
【００４６】
そして、最も凍結しやすい環境に置かれる圧力検出器７２ａの近傍、例えばエルボ管７２の側面には、凍結防止用のヒーター８１が取り付けてある。
【００４７】
この各種機器が組み付けられた架台１と、同機器を覆うポンプカバー８５とが組み合わさり、図１〜図４に示されるような奥行き寸法が狭く高さ寸法の高い、縦型の屋外仕様の給水装置を構成している。
【００４８】
具体的には、ポンプカバー８５は、内のり寸法を架台１の正面から見た外形より若干、大きくし、背面、下面の二面が開口した箱状をなしている。そして、このポンプカバー８５が、正面方向から各機器を覆うように架台１の周りに被してある。具体的には、ポンプカバー８５は、同カバー８５の上側の縁部内面が天板４と重なり、左右方向の縁部内面が左右の側板５と重なり、下部の周縁部内面がスカート板７およびそれに続く側板５部分と重なるよう、架台１の正面方向から被せて、各種機器がある領域をほぼ密閉にしている。そして、上側の縁部両側から天板４の左右方向両側に挿入される装置吊り下げ用のアイボルト８６（給水装置全体を吊り下げるときに用いる部材）で、ポンプカバー８５と架台１とを両者間にシール部材を挟んで締結してある。なお、８９ａは天板４，ポンプカバー８５の上縁部に形成したアイボルト用のボルト孔を示している。
【００４９】
またポンプカバー８５は、図３および図４に示されるようにタービンポンプ２６と向き合う正面壁８５ａが、連結管４０の中段付近から上方に向うにしたがいＤＣモーター２４との間が狭まる方向に傾斜していて、同傾斜部８５ｂによる空間の制限により、ＤＣモーター２４の正面側で、冷却ファン２９でのショートサーキット（吸込口２９ａからの吹出風がそのまま吹出口２９ｂに吸込まれる現象）が起きにくくしている。そして、このタービンポンプ２６と接近する傾斜部８５ｂの内面には、タービンポンプ各部からの騒音を効果的に吸収するよう吸音材８７が設けてある。
【００５０】
またポンプカバー８５の内面には、スカート板７の上端位置と同じかそれより若干上側の位置から上方の地点に渡り、逆流防止装置７０を含む吸込配管７１の周りを囲むように断熱性を有した吸音材８８が取り付けてあり、内部雰囲気が最も冷たくなる装置下部を保温すると同時に、ポンプカバー８５の下部端から内部の騒音が漏れないようにしている。
【００５１】
この他、ポンプカバー８５の内面各部には吸音材８９が取り付けられていて、ポンプカバー８５から外部へ騒音が漏れるのを防ぐ構造にしてある。さらに背板３の上部背面には、転倒防止用の金具、すなわちボルト挿入孔９０ａを有するプレート９０が取着されていて、給水装置の設置時、建物などの壁面にプレート９０を締結すれば、据え付けた給水装置が転倒しないようにしている。
【００５２】
またポンプカバー８５の正面壁８５ａの下段には、逆流防止装置７０の漏水状態を外部から目視で点検するための漏水点検用の窓９１が設けられている。また上段には、制御部２１の各種表示部２１ｂを外部から目視するための窓９２ａ，ポンプ状態を目視するための窓９２ｂが設けられている。なお、これら上段の窓９２ａ，９２ｂは、窓９１から漏水状態を見るときの明かり取りも兼ねている。
【００５３】
こうした給水装置を据え付けるときは、屋外あるいは屋内の据付場所に、アンカー用プレート１５をアンカーボルト９３で締結し、転倒防止用のプレート９０を架台１の裏面に添う建物の壁面などにボルト止めして給水装置を固定してから、例えばスカート板７の貫通孔９，１２を用いて、水道本管（図示しない）から分かれた水道管９４を吸込配管７１の入口に接続し、同じく吐出側合流管２８の出口を蛇口（図示しない）につながる給水配管９５に接続すればよい。
【００５４】
ここで、制御盤２１は、背板３の内面に添わせて配線されたケーブル類（図示しない）を通じて、各機器に接続されている。
【００５５】
この制御盤２１により、タービンポンプ２６のうちの片側（１台）は、吐出側の圧力検出器１７からの圧力信号から吐出圧力が目標圧力より低いことを検出すると、同目標圧力を一定に保つように運転（一定圧制御）される。つまり、タービンポンプ２６は、吸込配管７１，吸込側合流管２７を通じて吸込まれる水道管９４からの水を一定圧となるよう増圧し、この増圧した水を連結管４０，吐出側合流管２８，給水配管９５を通じて、蛇口へ供給する。
【００５６】
また使用水量が少なくなると、流量検出器４６の流量信号にしたがい、同タービンポンプ２６の回転数（能力）を低下させる。さらに所定使用水量以下になると、運転しているタービンポンプ２６を停止させ、アキュームレータ２２による給水に移る。
【００５７】
タービンポンプ２６の運転中は、ＤＣモーター２４の冷却ファン２９により、ポンプカバー８５内の各部は冷却されている。具体的には、ポンプカバー８５内の最上層の空気は、吸込口２９ａから吸込まれ、同空気が吹出口２９ｂからＤＣモーター２４のモーター本体へ沿って吹き出される。これにより、吹出風は、ＤＣモーター２４を冷却して、下部側に在る水が通過するポンプ部２５，同じく配管へと流れる。このとき、ＤＣモーター２４の冷却で温度上昇した排気流（熱風）は、給水される水で冷たくなっているポンプ部２５の外壁面、配管部材の外壁面と触れることで熱交換して冷却される。そして、この冷却された排気流が、ポンプカバー８５内の各部に導かれて各部を冷却する。この各部での熱交換により排気流は、温度上昇しながら上昇して、ポンプカバー８５内の上部へ至る。そして、再び冷却ファン２９から吸込まれるというサイクルが繰り返し行われ、常にポンプカバー８５内は循環する冷却風で冷却される。
【００５８】
また運転中、水道本管の圧力が目標圧力を超える圧力になると（高配水時）、タービンポンプ２６へ向う水が、バイパス用チェッキ弁４５を通じて、吐出側合流管２８へバイパス（短絡）される。またチェッキ弁４５とポンプ吸込口３０との間にある流量検出器４６が、タービンポンプ２６へ向う水量の減少（少水量）を検出して、タービンポンプ２６の運転を停止させる。これにより、給水装置で増圧を行わずに、直接、水道本管からの圧力水が蛇口へ導かれていく。
【００５９】
こうした給水装置だと、架台１に、アキュームレーター２２、吸込側合流管２７／吐出側合流管２８をもつタービンポンプ２６、逆流防止装置７０をもつ吸込配管７１を組み付けるときは、背板３に組み付けた、架台１の天板４および側板５以上に正面方向に突き出た支え部材５０，５９，７８に、各機器を組み付けるので、組み付けは、天板４や側板５に制約されずに行える。すなわち、図７中の符号Ｘで示されるように周囲に障害物の無い、支え部材５０，５９，７８の周りの広い開放空間を作業空間として用いて組み付け作業を進めることができる。そのため、組み付け作業は容易である。しかも、縦置きの背板３に各種機器を組み付ける構造であるから、従来のボックス構造と同様、占有床面積は小さくてすみ、小占有床面積と給水ポンプ機器の組付作業性の容易化を満足することができる。そのうえ、架台１は、左右側および上部が前方に若干、張り出た背壁３を用い、これをアンカー用プレート１５で自立させる構造なので、構造は簡単で、重量も軽く、製造コストも安価である。
【００６０】
また吸込合流管２７と吐出側合流管２８と並行に配置される複数台の縦型のタービンポンプ２６とを組み合せたポンプユニット２３を用い、このうち吸込側合流管２７、吐出側合流管２８に支持ベース４８，４９を形成して、支え部材５０に載せる構造を採用したので、重量のある多段タービンポンプ部２５を含むポンプユニット全体は、奥行き方向に並んで配置される吸込側合流管２７と吐出側合流管２８との間隔を活用して、安定して受け止めることができ、少ない支持個所、具体的には３個所で、ポンプユニット２６の背板３に対する組み付けを行うことができ、複数台の縦型ポンプ、吸込側／吐出側配管を合理的に架台１に組み付けることができる。
【００６１】
また支持ベース４８，４９と支え部材５０との間に弾性部材５３，５４を介装するだけでなく、支え部材５０の近傍の背壁内面に制振材５８を設けたので、吸込側合流管２７、吐出側合流管２８から背板３へ伝わろうとするタービンポンプ２６からの振動は、弾性部材５３，５４で吸収されるだけでなく、支え部材５０から背板３へ伝わる振動も、制振部材５８で抑制できるので、タービンポンプ２６が発する振動で架台１が振動するのを効果的に防ぐことができる。
【００６２】
また転倒防止用のプレート９０が取り付けてあるので、給水装置の設置時、背板３に沿う建物の壁面などに、プレート９０を締結することにより、たとえ地震で地面が揺れることがあっても、給水装置の転倒を防ぐことができ、現地で据え付けた給水装置が無用に転倒するのを防止できる。
【００６３】
また逆流防止装置７０を含む吸込配管７１を、支え部材７８に弾性部材７９を介して載せた構造を採用したことにより、逆流防止装置７０から架台１へ伝わろうとする振動は、弾性部材７９で吸収されるから、直結給水式を採用しても、架台１に伝わる振動は少なくてすみ、逆流防止装置７０が付くことを要因とした架台１の振動を防ぐことができる。
【００６４】
また箱状のポンプカバー８５を正面方向から架台１に被せる構造の採用により、架台１に取り付いた各種機器は、周囲がポンプカバー８５により覆われて遮蔽されるから、同機器が雨、風にさらされるのを防ぐことができる。と同時に同機器の騒音が外部へ出るのを遮ることができる。つまり、雨、風の影響に耐える、低騒音の屋外仕様の給水装置を実現することができる。しかも、ポンプカバー８５は、装置吊り下げ用のアイボルト８６で架台１に固定してあるので、別途、ポンプカバー８５を取り付けるためのねじ類は不要で、コスト的にも安価である。そのうえ、ポンプカバー８５は、架台１の正面方向から外したり取り付けたりする構造であるから、たとえ幅方向両側に障害物が在るような場所に給水装置が据え付けられても、メンテナンスのときなどでは、障害物に影響されずに、容易にポンプカバー８５の脱着作業を行うことができる。
【００６５】
また背板３の下部に、ポンプカバー下部の内面と重なるスカート板７を形成し、このスカート板７に外部との配管取り合いなす貫通孔９，１２を形成したので、配管施工を終えた後からでも、設置した給水装置の内部機器のメンテナンスを行うときは、ポンプユニット２３や吸込配管７１と取り合う配管はそのまま変えずに、ポンプカバー８５を取り去るだけで、容易に架台１に組み付けた機器の取り外しや取り付けを行うことができる。
【００６６】
また全閉モータに付く冷却ファン２９の吸込口２９ａを上部に配置し、配管を下側に配置してタービンポンプ２６を架台上部に組み付け、タービンポンプ２６と向き合うポンプカバー８５の正面壁８５ａを、該ポンプ２６との間が狭まるように傾斜させたので、全閉モーターを冷却した冷却ファン２９からの排気流（熱風）は、ポンプカバー８５の傾斜部がもたらす抑えにより、ファンの吸込口へショートサーキットする流れが形成されずに、ポンプカバー８５内を循環するようになり、ポンプカバー８５内の上部に熱が滞留することなく、ポンプカバー８５内の各部を十分に効果的に冷却させることができる。
【００６７】
またこの傾斜した正面壁８５ａの内面に吸音材８７を設けて、全閉モーターに対し接近する傾斜面を活用して、全閉モーターから発する騒音を吸収するようにしたので、低騒音の点に優れる全閉モーターからの騒音をさらに低減することができる。
【００６８】
またポンプカバー８５に逆流防止装置７０を目視する窓９１を形成したので、ポンプカバー８５を開けずに、外部から、窓９１を通して逆流防止装置７０の漏水状態が確認できる。特に窓９１は下側に在るが、制御盤２１を目視する窓９２ａ，モーター状態を見る窓９２ｂから明かりが入るので、見ずらいことはない。
【００６９】
また吸込圧を検出する圧力検出器７２ａの近傍の部分に凍結防止用ヒーター８１を組み付け、逆流防止装置７０を囲むポンプカバー８５の内面部分に、断熱性を有した吸音材８８を取り付けたので、内部雰囲気が最も冷たくなる装置下部の逆流防止装置７０をヒーター８１で保温しながら、同ヒーター８１で逆流防止装置７０の一次側に配置される、接水部が細く凍結しやすくなっている圧力検出器７２ａを重点に保温することができ、防音しつつ最も凍結しやすい個所を効果的にヒーター８１で保温することができる。
【００７０】
なお、上述した一実施形態では、直結給水式の給水装置を例に挙げているが、これに限らず、逆流防止装置の無い給水装置でも構わない。
【００７１】
【発明の効果】
以上説明したように請求項１に記載の発明によれば、周囲に障害物の無い、支え部材の周囲の広い開放空間を作業空間として、支え部材に給水ポンプ機器を組み付けることができ、給水ポンプ機器の組み付け作業は容易である。しかも、縦置きの背板に給水ポンプ機器を設置する構造なので、従来のボックス構造と同様、占有床面積は小さくてすむ。
【００７２】
したがって、小占有床面積と給水ポンプ機器の組付作業性の容易化との双方を満足することができる。しかも、架台は、左右側および上部が前方に若干、張り出た背壁をアンカー用プレートで自立させる構造なので、構造は簡単であり、重量も軽く、製造コストも安価である。
【００７３】
請求項２に記載の発明によれば、さらに上記効果に加え、少ない支持個所で、縦型ポンプを吸込側配管および吐出側配管を合理的に背板に支持させることができるといった効果を奏する。
【００７４】
請求項３に記載の発明によれば、さらに上記効果に加え、縦型ポンプが発する振動で架台が振動するのを効果的に防ぐことができるといった効果を奏する。
【００７５】
請求項４に記載の発明によれば、さらに上記効果に加え、現地で据え付けた給水装置が無用に転倒するのを防ぐことができるといった効果を奏する。
【００７６】
請求項５に記載の発明によれば、さらに上記効果に加え、直結給水式の給水装置を構成する逆流防止装置から架台へ伝わる振動を防ぐことができるといった効果を奏する。
【００７７】
請求項６に記載の発明によれば、さらに上記効果に加え、雨、風の影響に耐える構造で、低騒音の屋外仕様の給水装置を実現することができるといった効果を奏する。
【００７８】
請求項７に記載の発明によれば、さらに上記効果に加え、配管施工した後からでも、ポンプカバーを取り去るだけで、容易に給水ポンプ機器の取り外し、取り付け作業を容易に行うことができるといった効果を奏する。
【００７９】
請求項８に記載の発明によれば、さらに上記効果に加え、熱の滞留なく、全閉モーターに内蔵の冷却ファンで、ポンプカバー内の各部を効果的に冷却できるといった効果を奏する。
【００８０】
請求項９に記載の発明によれば、さらに上記効果に加え、全閉モーターからの騒音を効果的に低減することができるといった効果を奏する。
【００８１】
請求項１０に記載の発明によれば、さらに上記効果に加え、直結給水式を構成する逆流防止装置の漏水状態が外部から確認できるといった効果を奏する。
【００８２】
請求項１１に記載の発明によれば、さらに上記効果に加え、防音しつつポンプカバー内の最も凍結しやすい個所を効果的に保温することができるといった効果を奏する。
【図面の簡単な説明】
【図１】本発明の一実施形態に係る給水装置の正面図。
【図２】同給水装置のポンプカバーを断面した正面図。
【図３】（ａ）は図１中のＡ−Ａに沿う側断面図。
（ｂ）は図１中のＢ−Ｂに沿う側断面図。
【図４】図１中のＣ−Ｃに沿う側断面図。
【図５】図１中のＤ−Ｄに沿う平断面図。
【図６】タービンポンプに接続される吸込側合流管、吐出側合流管の構造を説明するための図。
【図７】給水ポンプの全体の構造を説明するための分解斜視図。
【符号の説明】
１…架台
２…背壁
４，５…天板，側板（板部）
７…スカート板
９，１２…貫通孔
１５…アンカー用プレート
２０…給水ポンプ機器
２３…縦型のポンプユニット
２４…ブラシレスＤＣモータ（全閉モーター）
２５…多段タービンポンプ部
２７…吸込側合流管
２８…吐出側合流管
２９…冷却ファン
２９ａ…吸込口
２９ｂ…吐出口
４８，４９…支持ベース
５０，５８，７８…支え部材
５３，５４，７９…弾性部材
５８…制振材（制振部材）
７０…逆流防止装置
７１…吸込配管
８１…凍結防止用ヒーター
８５…ポンプカバー
８６…アイボルト
８８…吸音材
９０…プレート（転倒防止用金具）
９１…窓。
【図１】
0004227256.tif 000002
【図２】
0004227256.tif 000003
【図３】
0004227256.tif 000004
【図４】
0004227256.tif 000005
【図５】
0004227256.tif 000006
【図６】
0004227256.tif 000007
【図７】
0004227256.tif 000008